(57)【要約】
【課題】
全体の折りたたみ可能に枠組み立体化しつつも、その展開使用状態での固定強度に富むジャングルジムを提供する。
【解決手段】
立方体枠（Ａ）（Ｂ１）（Ｂ２）（Ｃ）の交点に対応する各種指向形態の第１〜４固定パイプ継手（Ｊ１）〜（Ｊ４）を、その立方体枠を形作る横水平骨パイプ（Ｘ）と垂直骨パイプ（Ｚ）の端部へ各々差し込み一体化する一方、同じく縦水平骨パイプ（Ｙ）の両端部へ１種の回動パイプ継手（Ｊ）を各々差し込み一体化して、その各回動パイプ継手を第１〜４固定パイプ継手の各個へ、垂直軸（Ｐ）により約９０度だけ回動できるように枢支連結すると共に、その回動防止用の垂直なロックピン（１９Ｌ）（１９Ｒ）を上記第１〜５固定パイプ継手の少なくとも１種と回動パイプ継手へ、抜き差し自在に差し込み貫通させた。
【選択図】  図３７
0003100900.tif 000002
【実用新案登録請求の範囲】
【請求項１】
複数本の縦水平骨パイプ（Ｙ）と複数本の横水平骨パイプ（Ｘ）並びに複数本の垂直骨パイプ（Ｚ）とを用いて、下段中央立方体枠（Ａ）とその両隣りに並列する対称な下段左側・右側立方体枠（Ｂ１）（Ｂ２）並びにこれらの下段立方体枠（Ａ）（Ｂ１）（Ｂ２）に積層する少なくとも１個の上段立方体枠（Ｃ）（Ｃ１）（Ｃ２）とから枠組み立体化された屋内用の折りたたみ式ジャングルジムにおいて、
上記立方体枠（Ａ）（Ｂ１）（Ｂ２）（Ｃ）（Ｃ１）（Ｃ２）の交点に対応する各種指向形態の第１〜５固定パイプ継手（Ｊ１）（Ｊ２）（Ｊ３）（Ｊ４）（Ｊ５）を、その立方体枠（Ａ）（Ｂ１）（Ｂ２）（Ｃ）（Ｃ１）（Ｃ２）を形作る横水平骨パイプ（Ｘ）と垂直骨パイプ（Ｚ）の端部へ各々差し込み一体化する一方、
同じく立方体枠（Ａ）（Ｂ１）（Ｂ２）（Ｃ）（Ｃ１）（Ｃ２）を形作る縦水平骨パイプ（Ｙ）の両端部へ、１種の回動パイプ継手（Ｊ）を各々差し込み一体化して、
その各回動パイプ継手（Ｊ）を上記第１〜５固定パイプ継手（Ｊ１）〜（Ｊ５）の各個に対して、垂直軸（Ｐ）により約９０度だけ回動し得るように枢支連結すると共に、
その回動阻止用となる垂直なロックピン（１９Ｌ）（１９Ｒ）（３４）を、上記第１〜５固定パイプ継手（Ｊ１）〜（Ｊ５）の少なくとも１種と上記回動パイプ継手（Ｊ）への串刺し状態として、抜き差し自在に差し込み貫通させたことを特徴とする屋内用の折りたたみ式ジャングルジム。
【請求項２】
垂直骨パイプ（Ｚ）へ予じめ差し込み套嵌される垂直な取付鞘筒（１４）と、その下端部から連続的に張り出す左右一対の円弧状カバー片（１５Ｌ）（１５Ｒ）とを備えた正面視の倒立Ｔ字型として、硬質な合成樹脂から造形された別個なカバーピース（Ｋ）を、
正面視の十字型をなす交点に介在する第２固定パイプ継手（Ｊ２）へ、上方から跨がり横断するように被着させて、そのカバーピース（Ｋ）における上記取付鞘筒（１４）と両カバー片（１５Ｌ）（１５Ｒ）との角隅部から一体的に垂下する左右一対の回動阻止用ロックピン（１９Ｌ）（１９Ｒ）を、
上記第２固定パイプ継手（Ｊ２）における水平な左右一対の連結フォーク板片（１７Ｌ）（１７Ｒ）と、その両連結フォーク板片（１７Ｌ）（１７Ｒ）に垂直軸（Ｐ）を介して各々枢支連結された両回動パイプ継手（Ｊ）の連結板片（２）へ、一挙同時の串刺し状態に差し込み貫通させたことを特徴とする請求項１記載の屋内用の折りたたみ式ジャングルジム。
【請求項３】
垂直骨パイプ（Ｚ）へ予じめ差し込み套嵌される垂直な取付鞘筒（３２）と、その下端部から連続的に張り出す１個の円弧状カバー片（３３）とを備えた正面視のＬ字型として、硬質な合成樹脂から造形された別個なカバーピース（Ｋ１）を、
正面視の横向きＴ字型をなす交点に介在する第５固定パイプ継手（Ｊ５）へ上方から被着させて、そのカバーピース（Ｋ１）における上記取付鞘筒（３２）とカバー片（３３）との角隅部から一体的に垂下する１本の回動阻止用ロックピン（３４）を、
上記第５固定パイプ継手（Ｊ５）における水平な１個の連結フォーク板片（３７）と、その連結フォーク板片（３７）に垂直軸（Ｐ）を介して枢支連結された回動パイプ継手（Ｊ）の連結板片（２）へ、串刺し状態に差し込み貫通させたことを特徴とする請求項１記載の屋内用の折りたたみ式ジャングルジム。
【請求項４】
垂直骨パイプ（Ｚ）へ予じめ差し込み套嵌される垂直な取付鞘筒（２１）と、その下端部から連続的に張り出す左右一対の円弧状カバー片（２２Ｌ）（２２Ｒ）と、その両カバー片（２２Ｌ）（２２Ｒ）から前方又は後方へ連続的に張り出す広幅な突っ張りステー（２４）とを備えた正面視の倒立Ｔ字型として、硬質な合成樹脂から造形された別個な接地盤（Ｅ）を、
正面視の倒立Ｔ字型をなす交点に介在する第１固定パイプ継手（Ｊ１）へ、上方から跨がり横断するように被着させて、その接地盤（Ｅ）における上記取付鞘筒（２１）と両カバー片（２２Ｌ）（２２Ｒ）との角隅部から一体的に垂下する左右一対の回動阻止用ロックピンを、
上記第１固定パイプ継手（Ｊ１）における水平な左右一対の連結フォーク板片（７Ｌ）（７Ｒ）と、その両連結フォーク板片（７Ｌ）（７Ｒ）に垂直軸（Ｐ）を介して各々枢支連結された両回動パイプ継手（Ｊ）の連結板片（２）へ、一挙同時の串刺し状態に差し込み貫通させたことを特徴とする請求項１記載の屋内用の折りたたみ式ジャングルジム。
【請求項５】
ロックピン（１９Ｌ）（１９Ｒ）（３４）を金属製の釘として、その頭部を合成樹脂製のカバーピース（Ｋ）（Ｋ１）や接地盤（Ｅ）へ、一挙同時にインサート成形したことを特徴とする請求項２、３又は４記載の屋内用の折りたたみ式ジャングルジム。
【考案の詳細な説明】
【技術分野】
【０００１】
本考案は屋内用の折りたたみ式ジャングルジムに関する。
【背景技術】
【０００２】
幼児が屋内で使用する折りたたみ式のジャングルジムとして、特開２００１−３４０６６５号が提案されている。
【特許文献１】特開２００１−３４０６６５号公報
【考案の開示】
【考案が解決しようとする課題】
【０００３】
ところが、この公知発明の折りたたみ状態では図７から明白なように、主枠体（１０）が全然変形しておらず、立方体又は直方体の枠組み形態を保ったままで、その周辺を一対の副枠体（２０）が包囲するに過ぎないため、未だ小型扁平化に劣り、集合住宅におけるベランダの狭い押入れなどへ格納し難い。
【０００４】
又、図７の折りたたみ状態から使用状態へ変換するに当っては、主枠体（１０）の対角線上に位置する一対の連結杆（１３ａ）（１３ｃ）を垂直軸として、副枠体（２０）を約９０度だけ回動することにより、その副枠体（２０）を平面視のＬ字型に展開した後、その各副枠体（２０）の先端部からヒンジ（２）を介して吊り下がる可動連結杆（２１ｃ）を、そのヒンジ（２）の支点廻りに起し上げて、主枠体（１０）へ継手（３）によって着脱自在に螺合締結する必要がある。他方、使用状態から折りたたみ状態へ変換する場合には、上記操作を逆順序に行なわなければならず、甚だ煩らわしく面倒である。
【０００５】
更に、主枠体（１０）と副枠体（２０）とが着脱自在であるため、両者の組立強度が低下するばかりでなく、一対の副枠体（２０）は図６の使用状態から明白な如く、その平面視のＬ字型をなす最下段の連結杆（２１ｂ）と連結杆（２３ｂ）においてのみ接地し、平面視の全体的なコ字型に接地しないこととも相俟って、使用中に歪み変形しやすく、幼児の安全性を保障することができない。
【課題を解決するための手段】
【０００６】
本考案はこのような課題の改良を企図しており、そのための構成上複数本の縦水平骨パイプと複数本の横水平骨パイプ並びに複数本の垂直骨パイプとを用いて、下段中央立方体枠とその両隣りに並列する対称な下段左側・右側立方体枠並びにこれらの下段立方体枠に積層する少なくとも１個の上段立方体枠とから枠組み立体化された屋内用の折りたたみ式ジャングルジムにおいて、
【０００７】
上記立方体枠の交点に対応する各種指向形態の第１〜５固定パイプ継手を、その立方体枠を形作る横水平骨パイプと垂直骨パイプの端部へ各々差し込み一体化する一方、
【０００８】
同じく立方体枠を形作る縦水平骨パイプの両端部へ、１種の回動パイプ継手を各々差し込み一体化して、
【０００９】
その各回動パイプ継手を上記第１〜５固定パイプ継手の各個に対して、垂直軸により約９０度だけ回動し得るように枢支連結すると共に、
【００１０】
その回動阻止用となる垂直なロックピンを、上記第１〜５固定パイプ継手の少なくとも１種と上記回動パイプ継手への串刺し状態として、抜き差し自在に差し込み貫通させたことを特徴とするものである。
【考案の効果】
【００１１】
本考案の請求項１に特定された上記構成では、立方体枠（Ａ）（Ｂ１）（Ｂ２）（Ｃ）（Ｃ１）（Ｃ２）の各交点において、これらを形作る横水平骨パイプ（Ｘ）と垂直骨パイプ（Ｚ）へ差し込み一体化された第１〜５固定パイプ継手（Ｊ１）〜（Ｊ５）と、同じく縦水平骨パイプ（Ｙ）の両端部へ差し込み一体化された回動パイプ継手（Ｊ）とが、悉く垂直軸（Ｐ）によって約９０度だけ回動し得るように枢支連結されているため、ジャングルジムの全体をその垂直軸（Ｐ）の支点廻りに、例えば図１〜４のような展開使用状態から図３９の中途過程を経て、図４０〜４３の折りたたみ状態へ、又はその逆に便利良く変換操作することができ、その図４０〜４３の扁平な折りたたみ状態として、集合住宅におけるベランダの狭い押入れなどへ、小型コンパクトに格納・保管し得る効果がある。
【００１２】
しかも、上記垂直軸（Ｐ）を介して枢支連結された回動パイプ継手（Ｊ）と、第１〜５固定パイプ継手（Ｊ１）〜（Ｊ５）の少なくとも１種には、その回動阻止用となる垂直なロックピン（１９Ｌ）（１９Ｒ）（３４）が抜き差し自在に差し込み貫通されて、その串刺し状態に保たれるようになっているため、ジャングルジムの展開使用状態をガタツキや歪み変形などのおそれなく固定維持することができ、ましてジャングルジムが不慮に折りたたまれてしまうおそれはなく、幼児の安全性に著しく優れる。
【００１３】
特に、請求項２の構成を採用するならば、上記回動阻止用ロックピン（１９Ｌ）（１９Ｒ）の必要最少本数によって、ジャングルジムの展開使用状態を最も効率良く固定維持することができるほか、そのカバーピース（Ｋ）は予じめ垂直骨パイプ（Ｚ）に差し込み套嵌されているため、これが脱落・紛失するおそれもない。
【００１４】
又、請求項３や請求項４の構成を採用するならば、その第５固定パイプ継手（Ｊ５）へ上方から被着使用されるカバーピース（Ｋ１）のロックピン（３４）や、第１固定パイプ継手（Ｊ１）へ同じく上方から被着使用される接地盤（Ｅ）のロックピンによっても、上記ジャングルジムの展開使用状態を安定良く固定維持できる効果がある。
【考案を実施するための最良の形態】
【００１５】
以下、図面に基いて本考案の具体的構成を詳述すると、その本考案の屋内用ジャングルジムはＹ方向（左右方向）に沿って延在する合計１４本の平行な縦水平骨パイプ（Ｙ）と、Ｘ方向（前後方向）に沿って横断する合計１０本の平行な横水平骨パイプ（Ｘ）と、Ｚ方向（高さ方向）に沿って起立する合計１２本の平行な垂直骨パイプ（Ｚ）と、各縦水平骨パイプ（Ｙ）の左右両端部に付属された回動パイプ継手（Ｊ）と、各横水平骨パイプ（Ｘ）と各垂直骨パイプ（Ｚ）との交点に介挿された第１〜４固定パイプ継手（Ｊ１）（Ｊ２）（Ｊ３）（Ｊ４）と、その各固定パイプ継手（Ｊ１）（Ｊ２）（Ｊ３）（Ｊ４）に対して各回動パイプ継手（Ｊ）を回動自在に枢支連結する垂直軸（Ｐ）とから、図１〜４の基本実施形態に例示するような正面視の全体的な凸型輪郭形状に枠組み立体化されており、その枠組み立体化された展開使用状態から図４０〜４３の扁平な折りたたみ状態へ、又はその逆に変換操作することができるようになっている。
【００１６】
つまり、図１〜４のように枠組み立体化された展開使用状態において、（Ａ）はそのジャングルジムの下段中央立方体枠、（Ｂ１）（Ｂ２）はこれの両隣りに並列する対称な下段左側立方体枠と下段右側立方体枠、（Ｃ）は同じく下段中央立方体枠（Ａ）に積層する１個の上段立方体枠を例示しており、これらが悉く平面視の正方形に展開した使用状態として、幼児の遊戯に供されるのである。
【００１７】
このようなジャングルジムの構成部品について言えば、先ず上記骨パイプ（Ｘ）（Ｙ）（Ｚ）は悉く同じ太さ（Ｄ）（例えば約３０mmの直径）の硬質な合成樹脂パイプから成るが、その長さに限っては横水平骨パイプ（Ｘ）と垂直骨パイプ（Ｚ）とが例えば約３００mmの一定長さ（Ｌ１）として長く、残りの縦水平骨パイプ（Ｙ）が例えば約２３０mmの一定長さ（Ｌ２）として短かく相違されており、このような長短相違する２種が使い分けられるようになっている。
【００１８】
次に、回動パイプ継手（Ｊ）は硬質な合成樹脂から一体成形された１種として、図５、６に示すような水平の差込み脚筒（１）と、これから先端側へ張り出し延長された水平な連結板片（２）とを備えており、その差込み脚筒（１）と連結板片（２）との境界部からは、上記骨パイプ（Ｘ）（Ｙ）（Ｚ）の太さ（Ｄ）と同径の円形な差込み深さ規制フランジ（３）が張り出されてもいる。
【００１９】
その場合、回動パイプ継手（Ｊ）の連結板片（２）は平面視の四角形をなしているが、その前側又は後側の先端角隅部だけは一方向への回動許容面（４）として、上記連結板片（２）の中央部に貫通形成された垂直軸受け入れ孔（５ａ）からの一定な回動半径を描く円弧状に面取りされており、垂直軸（Ｐ）を支点として約９０度だけ回動し得るようになっている。しかも、同じく連結板片（２）の先端側へ偏心した位置には、その垂直軸受け入れ孔（５ａ）と平行なロックピン受け入れ孔（５ｂ）が垂直に貫通形成されてもいる。
【００２０】
そして、このような回動パイプ継手（Ｊ）の差込み脚筒（１）は上記短かい縦水平骨パイプ（Ｙ）の左右両端部へ、その施栓状態に差し込み一体化されることとなり、これによって一対の回動パイプ継手（Ｊ）も含む縦水平骨パイプ（Ｙ）の全体長さが、上記長い横水平骨パイプ（Ｘ）や垂直骨パイプ（Ｚ）とほぼ同等の一定長さ（Ｌ１）に寸法化されているのである。
【００２１】
その結果、ジャングルジムの下段中央立方体枠（Ａ）、下段左側立方体枠（Ｂ１）、下段右側立方体枠（Ｂ２）並びに上段立方体枠（Ｃ）が、その悉く文字通りの「立方体枠」として、図１〜４のように形作られるわけである。尚、上記水平な連結板片（２）を備えた回動パイプ継手（Ｊ）はその使用上、上下の方向性を区別することなく縦水平骨パイプ（Ｙ）へ差し込み固定することができる。
【００２２】
更に、第１〜４固定パイプ継手（Ｊ１）（Ｊ２）（Ｊ３）（Ｊ４）の４種はこれらも硬質な合成樹脂から、上記立方体枠（Ａ）（Ｂ１）（Ｂ２）（Ｃ）の交点に対応する指向形態として、各々図７、１２、１７、１８のように一体成形されており、図１〜４に例示したジャングルジムの枠組み上、その第１固定パイプ継手（Ｊ１）の合計４個、第２固定パイプ継手（Ｊ２）の合計４個、第３固定パイプ継手（Ｊ３）の合計６個、第４固定パイプ継手（Ｊ４）の合計６個が各々使用されることになる。
【００２３】
即ち、第１固定パイプ継手（Ｊ１）は２方継手として、図７のような側面視のＬ字型に交叉する水平な差込み脚筒（６Ｘ）と上向きの垂直な差込み脚筒（６Ｚ）とを備えているが、その交叉部から両側へ上記骨パイプ（Ｘ）（Ｙ）（Ｚ）の太さ（Ｄ）分だけ張り出す左右一対の水平な連結フォーク板片（７Ｌ）（７Ｒ）も具備しており、図１、２、８のように正面視の倒立Ｔ字型をなす交点へ介挿使用される。
【００２４】
そして、図８〜１１から明白なように、その第１固定パイプ継手（Ｊ１）の水平な差込み脚筒（６Ｘ）が横水平骨パイプ（Ｘ）の一端部へ、同じく上向きの垂直な差込み脚筒（６Ｚ）が垂直骨パイプ（Ｚ）の下端部へ各々差し込み一体化される一方、両連結フォーク板片（７Ｌ）（７Ｒ）の間隙内へ相反する左右方向から、上記縦水平骨パイプ（Ｙ）に付属している回動パイプ継手（Ｊ）の連結板片（２）が、各々受け入れられることになるのである。その場合、両連結フォーク板片（７Ｌ）（７Ｒ）は上記回動パイプ継手（Ｊ）の円形な差込み深さ規制フランジ（３）と同径の円弧状に弯曲形成されている。
【００２５】
（８）（８）は上記差込み脚筒（６Ｘ）（６Ｚ）の基端部から、各々上記骨パイプ（Ｘ）（Ｙ）（Ｚ）の太さ（Ｄ）分だけ張り出す円形な差込み深さ規制フランジ、（９）（９）は両連結フォーク板片（７Ｌ）（７Ｒ）の張り出し先端部に貫通形成された左右一対の垂直軸受け入れ孔であり、上記回動パイプ継手（Ｊ）の連結板片（２）に開口している垂直軸受け入れ孔（５ａ）と合致連通する。
【００２６】
尚、このような第１固定パイプ継手（Ｊ１）は図例の場合、その垂直な差込み脚筒（６Ｚ）の上向きとして使用されるようになっているが、ジャングルジムの枠組み次第では下向き倒立状態として使用されることもあり得る。
【００２７】
第２固定パイプ継手（Ｊ２）は３方継手として、図１２のような側面視の横向きＴ字型に交叉する水平な差込み脚筒（１６Ｘ）と上下一対の垂直な差込み脚筒（１６Ｚ）（１６Ｚ）とを備えているが、その交叉部からやはり両側へ上記骨パイプ（Ｘ）（Ｙ）（Ｚ）の太さ（Ｄ）分だけ張り出す左右一対の水平な連結フォーク板片（１７Ｌ）（１７Ｒ）も具備することにより、図１、２、１３のように正面視の十字型をなす交点へ介挿使用される。
【００２８】
つまり、図１３〜１６から明白なように、その第２固定パイプ継手（Ｊ２）の水平な差込み脚筒（１６Ｘ）が上記第１固定パイプ継手（Ｊ１）と同じく、横水平骨パイプ（Ｘ）の一端部へ差し込み一体化されると共に、同じく上向きの垂直な差込み脚筒（１６Ｚ）が垂直骨パイプ（Ｚ）の下端部へ、残る下向きの垂直な差込み脚筒（１６Ｚ）が別な垂直骨パイプ（Ｚ）の上端部へ、各々差し込み一体化されることになる。但し、第２固定パイプ継手（Ｊ２）はその上下の方向性を区別することなく使用することができる。
【００２９】
他方、両連結フォーク板片（１７Ｌ）（１７Ｒ）の間隙内には上記第１固定パイプ継手（Ｊ１）と同じく、縦水平骨パイプ（Ｙ）に付属している回動パイプ継手（Ｊ）の連結板片（２）が、やはり相反する左右方向から各々受け入れられることになる。その場合、両連結フォーク板片（１７Ｌ）（１７Ｒ）は上記第１固定パイプ継手（Ｊ１）と同じく、回動パイプ継手（Ｊ）の円形な差込み深さ規制フランジ（３）と同径の円弧状に弯曲形成されている。
【００３０】
（１０）（１０）（１０）は上記差込み脚筒（１６Ｘ）（１６Ｚ）（１６Ｚ）の基端部から、各々上記骨パイプ（Ｘ）（Ｙ）（Ｚ）の太さ（Ｄ）分だけ張り出す円形な差込み深さ規制フランジ、（１１ａ）（１１ａ）は両連結フォーク板片（１７Ｌ）（１７Ｒ）の張り出し先端部に貫通形成された左右一対の垂直軸受け入れ孔であって、やはり上記回動パイプ継手（Ｊ）の連結板片（２）に開口している垂直軸受け入れ孔（５ａ）と合致連通する。
【００３１】
その場合、第２固定パイプ継手（Ｊ２）に限っては同じく両連結フォーク板片（１７Ｌ）（１７Ｒ）の基端部に、その垂直軸受け入れ孔（１１ａ）（１１ａ）と平行な左右一対のロックピン受け入れ孔（１１ｂ）（１１ｂ）も貫通形成されており、これらが上記回動パイプ継手（Ｊ）の連結板面（２）に開口しているロックピン受け入れ孔（５ｂ）と各々合致連通するようになっている。
【００３２】
又、第３、４固定パイプ継手（Ｊ３）（Ｊ４）の２種は所謂左勝手と右勝手との対称に振り向く何れも２方継手であって、図１７、１８のような側面視のＬ字型に交叉する水平な差込み脚筒（２６Ｘ）と上向きの垂直な差込み脚筒（２６Ｚ）とを備えているが、その交叉部から左側又は右側の片側に向かってのみほぼ縦水平骨パイプ（Ｙ）の太さ（Ｄ）分だけ張り出す１個の水平な連結フォーク板片（２７Ｌ）（２７Ｒ）も具備しており、図１、２、１９のように正面視のＬ字型をなす交点へ介挿使用される。但し、その垂直な差込み脚筒（２６Ｚ）を下向きとして、正面視の倒立Ｌ字型をなす交点に介挿使用することも可能である。
【００３３】
つまり、図１９〜２２から明白なように、その第３、４固定パイプ継手（Ｊ３）（Ｊ４）の水平な差込み脚筒（２６Ｘ）が上記第１、２固定パイプ継手（Ｊ１）（Ｊ２）と同じく、横水平骨パイプ（Ｘ）の一端部へ差し込み一体化されると共に、垂直な差込み脚筒（２６Ｚ）が垂直骨パイプ（Ｚ）の下端部又は上端部へ差し込み一体化されることになる一方、連結フォーク板片（２７Ｌ）（２７Ｒ）の間隙内には上記縦水平骨パイプ（Ｙ）に付属している回動パイプ継手（Ｊ）の連結板片（２）が、左右何れか一方向から受け入れられることとなる。その各連結フォーク板片（２７Ｌ）（２７Ｒ）も上記第１、２固定パイプ継手（Ｊ１）（Ｊ２）と同様に、やはり回動パイプ継手（Ｊ）の円形な差込み深さ規制フランジ（３）と同径の円弧状に弯曲形成されている。
【００３４】
このような第３、４固定パイプ継手（Ｊ３）（Ｊ４）を形作る差込み脚筒（２６Ｘ）（２６Ｚ）の基端部からも、円形の差込み深さ規制フランジ（１２）（１２）が各々骨パイプ（Ｘ）（Ｙ）（Ｚ）の太さ（Ｄ）分だけ張り出されているほか、その各連結フォーク板片（２７Ｌ）（２７Ｒ）の張り出し先端部には上記回動パイプ継手（Ｊ）の連結板片（２）に開口している垂直軸受け入れ孔（５ａ）と対応合致する垂直軸受け入れ孔（１３）が、やはり貫通形成されてもいる。
【００３５】
そして、第１〜４固定パイプ継手（Ｊ１）（Ｊ２）（Ｊ３）（Ｊ４）の連結フォーク板片（７Ｌ）（７Ｒ）（１７Ｌ）（１７Ｒ）（２７Ｌ）（２７Ｒ）に各々開口する垂直軸受け入れ孔（９）（９）（１１ａ）（１１ａ）（１３）（１３）と、上記回動パイプ継手（Ｊ）の連結板片（２）に開口する垂直軸受け入れ孔（５ａ）へ、１種の垂直軸（Ｐ）が串刺し貫通されることにより、上記縦水平骨パイプ（Ｙ）が第１〜４固定パイプ継手（Ｊ１）（Ｊ２）（Ｊ３）（Ｊ４）へ回動自在に枢支連結されることとなるのである。
【００３６】
しかも、このような枢支連結状態では第１〜４固定パイプ継手（Ｊ１）〜（Ｊ４）の連結フォーク板片（７Ｌ）（７Ｒ）（１７Ｌ）（１７Ｒ）（２７Ｌ）（２７Ｒ）と、回動パイプ継手（Ｊ）の差込み深さ規制フランジ（３）とが、各々同径での整合した面一状態に保たれる。
【００３７】
上記垂直軸（Ｐ）としてはピンやリベット、ボルトとナットとのネジ締結具などを採用できるが、何れにあってもその上下両端部を上記第１〜４固定パイプ継手（Ｊ１）（Ｊ２）（Ｊ３）（Ｊ４）における連結フォーク板片（７Ｌ）（７Ｒ）（１７Ｌ）（１７Ｒ）（２７Ｌ）（２７Ｒ）の垂直軸受け入れ孔（９）（９）（１１ａ）（１１ａ）（１３）（１３）内へ埋没させて、使用上の安全性を昂めることが好ましい。
【００３８】
このような構成部品から本考案のジャングルジムを枠組み立体化するに当っては、各縦水平骨パイプ（Ｙ）の左右両端部へ回動パイプ継手（Ｊ）の一対を、予じめ図５の平面図に示す如く、その連結板片（２）に面取りされている円弧状の回動許容面（４）が、互いに前後の逆向きとなる関係状態に差し込み一体化しておく。
【００３９】
そして、図１〜４のような下段中央立方体枠（Ａ）と下段左側立方体枠（Ｂ１）、下段右側立方体枠（Ｂ２）並びに上段立方体枠（Ｃ）を形作ることとなる各交点へ、その対応する指向形態の第１〜４固定パイプ継手（Ｊ１）（Ｊ２）（Ｊ３）（Ｊ４）を介挿使用して、その各交点の横水平骨パイプ（Ｘ）と垂直骨パイプ（Ｚ）に差し込み一体化した第１〜４固定パイプ継手（Ｊ１）（Ｊ２）（Ｊ３）（Ｊ４）と、上記縦水平骨パイプ（Ｙ）に付属している回動パイプ継手（Ｊ）とを、垂直骨パイプ（Ｚ）と平行な垂直軸（Ｐ）により約９０度だけ回動し得るように枢支連結するのである。
【００４０】
即ち、下段中央立方体枠（Ａ）を形作る垂直骨パイプ（Ｚ）の下端部には、合計４個の第１固定パイプ継手（Ｊ１）を使用して、その各第１固定パイプ継手（Ｊ１）の差込み脚筒（６Ｚ）（６Ｘ）を垂直骨パイプ（Ｚ）と横水平骨パイプ（Ｘ）へ差し込み一体化すると共に、同じく第１固定パイプ継手（Ｊ１）同志の向かい合う連結フォーク板片（７Ｌ）（７Ｒ）と、縦水平骨パイプ（Ｙ）の左右両端部に付属している回動パイプ継手（Ｊ）の連結板片（２）とを、各々垂直軸（Ｐ）により約９０度だけ回動し得るように枢支連結して、その前後一対の縦水平骨パイプ（Ｙ）と左右一対の横水平骨パイプ（Ｘ）とから成る平面視の正方形に枠組む。
【００４１】
又、同じく下段中央立方体枠（Ａ）を形作る垂直骨パイプ（Ｚ）の上端部には、合計４個の第２固定パイプ継手（Ｊ２）を使用して、その各第２固定パイプ継手（Ｊ２）の両差込み脚筒（１６Ｚ）（１６Ｘ）を垂直骨パイプ（Ｚ）と横水平骨パイプ（Ｘ）へ差し込み一体化すると共に、同じく第２固定パイプ継手（Ｊ２）同志の向かい合う連結フォーク板片（１７Ｌ）（１７Ｒ）と、縦水平骨パイプ（Ｙ）の左右両端部に付属している回動パイプ継手（Ｊ）の連結板片（２）とを、各々垂直軸（Ｐ）により約９０度だけ回動し得るように枢支連結して、やはり前後一対の縦水平骨パイプ（Ｙ）と左右一対の横水平骨パイプ（Ｘ）とから成る平面視の正方形に枠組む。
【００４２】
他方、上段立方体枠（Ｃ）を形作る垂直骨パイプ（Ｚ）の上端部には、合計２個づつの第３、４固定パイプ継手（Ｊ３）（Ｊ４）を使用して、その第３、４固定パイプ継手（Ｊ３）（Ｊ４）の両差込み脚筒（２６Ｚ）（２６Ｘ）を垂直骨パイプ（Ｚ）と横水平骨パイプ（Ｘ）へ各々差し込み一体化すると共に、第３固定パイプ継手（Ｊ３）同志並びに第４固定パイプ継手（Ｊ４）同志の各々向かい合う連結フォーク板片（２７Ｌ）（２７Ｒ）と、縦水平骨パイプ（Ｙ）の左右両端部に付属している回動パイプ継手（Ｊ）の連結板片（２）とを、各々垂直軸（Ｐ）により約９０度だけ回動し得るように枢支連結して、前後一対の縦水平骨パイプ（Ｙ）と左右一対の横水平骨パイプ（Ｘ）とから成る平面視の正方形に枠組み、このような枠組みと相前後して、垂直骨パイプ（Ｚ）の下端部を上記第２固定パイプ継手（Ｊ２）から上向く垂直な差込み脚筒（１６Ｚ）へ各々差し込み一体化することにより、その上段立方体枠（Ｃ）を下段中央立方体枠（Ａ）への積層状態に組み立てる。
【００４３】
そうすれば、平面視の正方形をなす上段立方体枠（Ｃ）と下段中央立方体枠（Ａ）とは図３９〜４３のように、その４隅部の垂直軸（Ｐ）を回動支点として一体的に閉合し、その隣り合う縦水平骨パイプ（Ｙ）と横水平骨パイプ（Ｘ）とが平行に密接する扁平な折りたたみ状態となり得る。
【００４４】
更に、下段左側立方体枠（Ｂ１）と下段右側立方体枠（Ｂ２）を形作る垂直骨パイプ（Ｚ）の上下両端部には、合計４個づつの第３、４固定パイプ継手（Ｊ３）（Ｊ４）を使用して、その第３、４固定パイプ継手（Ｊ３）（Ｊ４）の両差込み脚筒（２６Ｚ）（２６Ｘ）を垂直骨パイプ（Ｚ）と横水平骨パイプ（Ｘ）へ各々差し込み一体化すると共に、その第３、４固定パイプ継手（Ｊ３）（Ｊ４）の連結フォーク板片（２７Ｌ）（２７Ｒ）へ縦水平骨パイプ（Ｙ）の一端部に付属している回動パイプ継手（Ｊ）の連結板片（２）を、各々垂直軸（Ｐ）により約９０度だけ回動し得るように枢支連結し、このような枠組みと相前後して、同じく縦水平骨パイプ（Ｙ）の他端部に付属している回動パイプ継手（Ｊ）の連結板片（２）を、上記第１、２固定パイプ継手（Ｊ１）（Ｊ２）の対応的に向かい合う連結フォーク板片（７Ｌ）（７Ｒ）（１７Ｌ）（１７Ｒ）へ、各々垂直軸（Ｐ）により約９０度だけ回動自在に枢支連結して、その下段左側立方体枠（Ｂ１）と下段右側立方体枠（Ｂ２）を下段中央立方体枠（Ａ）への並列状態に組み立てるのである。
【００４５】
そうすれば、下段中央立方体枠（Ａ）の垂直骨パイプ（Ｚ）のみならず、横水平骨パイプ（Ｘ）も兼用して平面視の正方形に形作られた下段左側立方体枠（Ｂ１）と下段右側立方体枠（Ｂ２）は、図３９〜４３から明白なように、その４隅部の垂直軸（Ｐ）を回動支点として各別に閉合し、その隣り合う縦水平骨パイプ（Ｙ）と横水平骨パイプ（Ｘ）とがやはり平行に密接する扁平な折りたたみ状態となり得る。
【００４６】
但し、図４に示すような平面から見た場合、下段中央立方体枠（Ａ）と上段立方体枠（Ｃ）を正方形に枠組む前後一対づつ合計３段の縦水平骨パイプ（Ｙ）については、その左右両端部に付属の回動パイプ継手（Ｊ）側から張り出す連結板片（２）の円弧状回動許容面（４）が、正方形における一方の対角線（Ｆ１−Ｆ１）（図４の右上がり傾斜対角線）上に位置するもの同志では入隅側（内側への回動方向）を指向し、その正方形における他方の対角線（Ｒ１−Ｒ１）（図４の右下がり傾斜対角線）上に位置するもの同志では出隅側（外側への回動方向）を指向する関係状態にあり、これによって折りたたみ閉合することとなる方向性が予じめ規定されている。
【００４７】
これに対して、下段左側立方体枠（Ｂ１）と下段右側立方体枠（Ｂ２）との各個をやはり正方形に枠組む前後一対づつ合計２段の縦水平骨パイプ（Ｙ）については、その左右両端部に付属の回動パイプ継手（Ｊ）側から張り出す連結板片（２）の円弧状回動許容面（４）が、上記下段中央立方体枠（Ａ）側並びに上段立方体枠（Ｃ）側との逆向きとして、正方形における一方の対角線（Ｆ２−Ｆ２）（同図の右上がり傾斜対角線）上に位置するもの同志では出隅側（外側への回動方向）を指向し、その正方形における他方の対角線（Ｒ２−Ｒ２）（同図の右下がり傾斜対角線）上に位置するもの同志では入隅側（内側への回動方向）を指向する関係状態にあり、これによって下段左側立方体枠（Ｂ１）と下段右側立方体枠（Ｂ２）との何れか一方が、先に折りたたまれた下段中央立方体枠（Ａ）の前面へ密接する状態として折りたたみ扁平化され、残る他方が同じく下段中央立方体枠（Ａ）の後面へ密接する状態として折りたたみ扁平化されるようになっているのである。
【００４８】
上記縦水平骨パイプ（Ｙ）の配列方向性については、その左右両端部に差し込み一体化された回動パイプ継手（Ｊ）側の円弧状回動許容面（４）が、予じめ図５のような平面から見て前後の逆向きとなっている縦水平骨パイプ（Ｙ）を、図４の全体から示唆される如く、下段中央立方体枠（Ａ）と上段立方体枠（Ｃ）、下段左側立方体枠（Ｂ１）並びに下段右側立方体枠（Ｂ２）の枠組みに際して、その前列と後列との何れにおいても交互に左右の逆向きとして、且つ前列と後列との相互間でも左右逆向きの千鳥配列状態として使用することにより、容易に規定することができる。
【００４９】
図１、２の符号（Ｋ）は上記のように枠組み立体化されたジャングルジムの展開使用状態を、その全体的なガタツキや歪み変形などのおそれなく固定維持するため、正面視の十字型をなす交点へ跨がり横断するように被着された合計４個のカバーピースであり、硬質な合成樹脂から図２３〜３０のような上記第２固定パイプ継手（Ｊ２）とほぼ対応する形態に一体成形されている。
【００５０】
即ち、カバーピース（Ｋ）は図２６〜３０に示す正面視の倒立Ｔ字型として、上記垂直骨パイプ（Ｚ）へ予じめ差し込み套嵌される垂直な取付鞘筒（１４）と、その下端部から上記第２固定パイプ継手（Ｊ２）の両連結フォーク板片（１７Ｌ）（１７Ｒ）とほぼ対応する長さ（Ｌ３）分だけ連続一体に張り出す左右一対の円弧状カバー片（１５Ｌ）（１５Ｒ）と、そのカバー片（１５Ｌ）（１５Ｒ）における中央部の前側又は後側へ、下向き開放する円弧状として切り欠かれた横水平骨パイプ逃し入れ凹溝（１８）とを備えている。
【００５１】
そして、そのカバーピース（Ｋ）の取付鞘筒（１４）を垂直骨パイプ（Ｚ）に沿い下降させ、同じくカバーピース（Ｋ）の両円弧状カバー片（１５Ｌ）（１５Ｒ）を上記第２固定パイプ継手（Ｊ２）の対応的な両連結フォーク板片（１７Ｌ）（１７Ｒ）へ、図２３〜２５のように上方から覆いかぶせることにより、その第２固定パイプ継手（Ｊ２）の両連結フォーク板片（１７Ｌ）（１７Ｒ）へ各々垂直軸（Ｐ）を介して枢支連結された状態にある回動パイプ継手（Ｊ）が、不慮に折りたたみ閉合されないように拘束する。
【００５２】
しかも、カバーピース（Ｋ）における取付鞘筒（１４）と両カバー片（１５Ｌ）（１５Ｒ）との角隅部からは、上記垂直軸（Ｐ）と平行な回動阻止用ロックピン（１９Ｌ）（１９Ｒ）の左右一対が一体的に垂下されており、その両ロックピン（１９Ｌ）（１９Ｒ）を第２固定パイプ継手（Ｊ２）の両連結フォーク板片（１７Ｌ）（１７Ｒ）に開口しているロックピン受け入れ孔（１１ｂ）（１１ｂ）と、両回動パイプ継手（Ｊ）の連結板片（２）に開口しているロックピン受け入れ孔（５ｂ）へ、一挙同時の串刺し状態として抜き差し自在に差し込み貫通させるようになっている。
【００５３】
その結果、上記第２固定パイプ継手（Ｊ２）に対して、縦水平骨パイプ（Ｙ）の左右両端部に付属している両回動パイプ継手（Ｊ）が、その垂直軸（Ｐ）の支点廻りに折りたたみ閉合されてしまうおそれはない。このようなカバーピース（Ｋ）はその前後の方向性を区別することなく使用することができる。（２０）は上記取付鞘筒（１４）の開口縁部から内向きに突設された垂直な複数条の補強リブである。
【００５４】
その場合、図示の実施形態では上記ロックピン（１９Ｌ）（１９Ｒ）を金属製の釘として、その頭部を合成樹脂製カバーピース（Ｋ）における取付鞘筒（１４）と両カバー片（１５Ｌ）（１５Ｒ）との角隅部へ、一挙同時にインサート成形しているが、そのロックピン（１９Ｌ）（１９Ｒ）を合成樹脂製として、カバーピース（Ｋ）と一体に成形しても勿論良い。
【００５５】
更には、上記カバーピース（Ｋ）の設置を省略して、その回動阻止用のロックピン（１９Ｌ）（１９Ｒ）だけを上記第２固定パイプ継手（Ｊ２）の両連結フォーク板片（１７Ｌ）（１７Ｒ）に開口しているロックピン受け入れ孔（１１ｂ）（１１ｂ）と、両回動パイプ継手（Ｊ）の連結板片（２）に開口しているロックピン受け入れ孔（５ｂ）へ、各々上方から抜き差し自在に差し込み貫通させて、その抜け落ちない状態に保ってもさしつかえない。
【００５６】
又、図１、２の符号（Ｅ）はジャングルジムにおける正面視の倒立Ｔ字型をなす交点へ、やはり跨がり横断するように被着された合計４個の接地盤であって、硬質な合成樹脂から図３１〜３３のような上記第１固定パイプ継手（Ｊ１）とほぼ対応する形態に一体成形されており、上記展開使用状態にあるジャングルジムが前後方向へ転倒しないように、その効果的な突っ張り抵抗力を与える。
【００５７】
つまり、接地盤（Ｅ）も上記カバーピース（Ｋ）に類似する正面視の倒立Ｔ字型として、やはり垂直骨パイプ（Ｚ）へ予じめ差し込み套嵌される垂直な取付鞘筒（２１）と、その下端部から上記第１固定パイプ継手（Ｊ１）の両連結フォーク板片（７Ｌ）（７Ｒ）とほぼ対応する長さ（Ｌ４）分だけ連続一体に張り出す左右一対の円弧状カバー片（２２Ｌ）（２２Ｒ）と、その両カバー片（２２Ｌ）（２２Ｒ）における中央部の前側又は後側へ、下向き開放する円弧状として切り欠かれた横水平骨パイプ逃し入れ凹溝（２３）とを備えているが、同じく両カバー片（２２Ｌ）（２２Ｒ）からはその横水平骨パイプ逃し入れ凹溝（２３）と逆な後方又は前方に向かって、広幅な突っ張りステー（２４）が一定長さ（Ｌ５）だけ連続一体に張り出されてもいる。
【００５８】
そして、このような接地盤（Ｅ）の取付鞘筒（２１）を上記カバーピース（Ｋ）と同じく、垂直骨パイプ（Ｚ）に沿って下降させ、その接地盤（Ｅ）の両円弧状カバー片（２２Ｌ）（２２Ｒ）を上記第１固定パイプ継手（Ｊ１）の対応的な両連結フォーク板片（７Ｌ）（７Ｒ）へ、図１、２、３１のように上方から覆いかぶせることにより、その第１固定パイプ継手（Ｊ１）の両連結フォーク板片（７Ｌ）（７Ｒ）へ各々垂直軸（Ｐ）を介して枢支連結された状態にある回動パイプ継手（Ｊ）が、不慮に折りたたみ閉合されないように拘束するほか、上記接地盤（Ｅ）の突っ張りステー（２４）をジャングルジムからの前後方向へ張り出す接地状態に保つようになっている。
【００５９】
このような接地盤（Ｅ）も上記カバーピース（Ｋ）と同じく、その前後の方向性を区別することなく使用することができる。（２５）は上記取付鞘筒（２１）の開口縁部から内向きに突設された垂直な複数条の補強リブを示している。
【００６０】
その場合、図示省略してあるが、上記第１固定パイプ継手（Ｊ１）における両連結フォーク板片（７Ｌ）（７Ｒ）の張り出し先端部にも、その垂直軸受け入れ孔（９）（９）と平行な左右一対のロックピン受け入れ孔を貫通形成しておく一方、接地盤（Ｅ）における取付鞘筒（２１）と両カバー片（２２Ｌ）（２２Ｒ）との角隅部から、対応的な左右一対の回動阻止用ロックピンも一体的に垂下させておき、その接地盤（Ｅ）の両ロックピンを第１固定パイプ継手（Ｊ１）の上記両ロックピン受け入れ孔と、両回動パイプ継手（Ｊ）の連結板片（２）に開口している上記ロックピン受け入れ孔（５ｂ）へ、一挙同時の串刺し状態として抜き差し自在に差し込み貫通させることにより、その接地盤（Ｅ）にも上記カバーピース（Ｋ）と同様なジャングルジムの折りたたみ防止機能を発揮させることができる。
【００６１】
更に、図３４から明白な如く、上記ジャングルジムの下段左側立方体枠（Ｂ１）又は下段右側立方体枠（Ｂ２）には、滑り台（２８）と階段（２９）並びに天板（３０）を係脱自在に係止させることにより、そのジャングルジムに使用上の興趣変化や付加価値を与えることも可能である。
【００６２】
つまり、滑り台（２８）は硬質な合成樹脂から断面ほほＵ字型に一体成形されており、その上端部が円弧状に屈曲する係止フック（２８ａ）として、上記ジャングルジムの縦水平骨パイプ（Ｙ）へ係脱自在に係止されるようになっているほか、その係止フック（２８ａ）には並列する一対の爪受け入れ口（２８ｂ）が切り欠かれてもいる。
【００６３】
又、階段（２９）も硬質な合成樹脂から成り、その上端部が円弧状に屈曲する係止フック（２９ａ）として、やはりジャングルジムの縦水平骨パイプ（Ｙ）へ係脱自在に係止されるようになっていると共に、その係止フック（２９ａ）にも並列する一対の爪受け入れ口（２９ｂ）が切り欠かれている。
【００６４】
そして、天板（３０）は図３５に抽出して示す如く、上記ジャングルジムの下段左側立方体枠（Ｂ１）又は下段右側立方体枠（Ｂ２）を上方から施蓋できる大きさの正方形として、やはり硬質な合成樹脂から成形されており、その周辺部から連続一体に垂下する一対づつの係止爪（３０ａ）が図３６のように、先にジャングルジムの縦水平骨パイプ（Ｙ）へ係止された滑り台（２８）の爪受け入れ口（２８ｂ）と、同じく縦水平骨パイプ（Ｙ）へ係止された階段（２９）の爪受け入れ口（２９ｂ）とを貫通して、そのジャングルジムの縦水平骨パイプ（Ｙ）と横水平骨パイプ（Ｘ）へ係脱自在に係止するようになっている。
【００６５】
そのため、その縦・横水平骨パイプ（Ｙ）（Ｘ）に対する係止爪（３０ａ）の弾圧力とも相俟って、天板（３０）により滑り台（２８）と階段（２９）とを上記ジャングルジムの下段左側立方体枠（Ｂ１）又は下段右側立方体枠（Ｂ２）へ、上方から一挙同時に押え付け固定維持することができ、その下段左側立方体枠（Ｂ１）又は下段右側立方体枠（Ｂ２）が不慮に折りたたみ扁平化されてしまうおそれの防止に役立つ。
【００６６】
本考案のジャングルジムを図１〜４の展開使用状態から折りたたむに当っては、これに付属している上記滑り台（２８）と階段（２９）並びに天板（３０）を取りはずす一方、その正面視の十字型をなす交点に被着されている合計４個の上記カバーピース（Ｋ）と、同じく正面視の倒立Ｔ字型をなす交点に被着されている合計４個の上記接地盤（Ｅ）とを、図３７、３８のように対応的な第２固定パイプ継手（Ｊ２）と第１固定パイプ継手（Ｊ１）から各々垂直骨パイプ（Ｚ）に沿い浮上させて、そのカバーピース（Ｋ）の両ロックピン（１９Ｌ）（１９Ｒ）を何れも上記第２固定パイプ継手（Ｊ２）の両連結フォーク板片（１７Ｌ）（１７Ｒ）と、両回動パイプ継手（Ｊ）の連結板片（２）から抜き出した上、平面視の正方形にある上段立方体枠（Ｃ）と下段中央立方体枠（Ａ）とを、その４隅部に点在分布している垂直軸（Ｐ）を回動支点として一体的に閉合させるのである。
【００６７】
そうすれば、その上段立方体枠（Ｃ）と下段中央立方体枠（Ａ）を形作っている隣り合う縦水平骨パイプ（Ｙ）と横水平骨パイプ（Ｘ）とが、図３９の中途過程を経て図４０〜４３のような平行に密接する折りたたみ状態となり、これに付随して引っ張り変向される下段左側立方体枠（Ｂ１）と下段右側立方体枠（Ｂ２）との何れか一方（図例では下段右側立方体枠）が、先に折りたたまれた下段中央立方体枠（Ａ）の前面へ、残る他方（図例では下段左側立方体枠）が同じく下段中央立方体枠（Ａ）の後面へ、自づと各別に接近する位置関係となる。
【００６８】
そのため、引き続き下段左側立方体枠（Ｂ１）と下段右側立方体枠（Ｂ２）を図３９から図４２、４３のように、その４隅部の垂直軸（Ｐ）を回動支点として各別に閉合させることにより、これらの隣り合う縦水平骨パイプ（Ｙ）と横水平骨パイプ（Ｘ）とが平行に密接した状態として、しかも上記下段中央立方体枠（Ａ）の前面と後面にも密接するように折りたたみ扁平化すれば良い。
【００６９】
上記ジャングルジムの全体的な折りたたみ状態は図４０〜４３に示す通りであり、これらから明白なように、第１〜４固定パイプ継手（Ｊ１）〜（Ｊ４）の連結フォーク板片（７Ｌ）（７Ｒ）（１７Ｌ）（１７Ｒ）（２７Ｌ）（２７Ｒ）が縦水平骨パイプ（Ｙ）の太さ（Ｄ）分だけ張り出し形成されていることとも相俟って、その下段中央立方体枠（Ａ）と上段立方体枠（Ｃ）、下段左側立方体枠（Ｂ１）並びに下段右側立方体枠（Ｂ２）を形作る縦水平骨パイプ（Ｙ）と横水平骨パイプ（Ｘ）が、悉く平行に密着した扁平な折りたたみ状態を得ることができる。
【００７０】
その結果、滑り台（２８）の作用長さを下段中央立方体枠（Ａ）と上段立方体枠（Ｃ）との積層高さと同等か、又はそれ以下の短かく寸法化しておくことにより、本考案のジャングルジムとその付属品である滑り台（２８）や階段（２９）、天板（３０）との全体を、一括して扁平な直方体型に梱包・輸送することができるほか、集合住宅におけるベランダの狭い押入れなどへ、小型コンパクトに格納・保管することも可能となる。
【００７１】
又、上記カバーピース（Ｋ）と接地盤（Ｅ）は何れも垂直骨パイプ（Ｚ）への取付鞘筒（１４）（２１）を備えており、そのジャングルジムの垂直骨パイプ（Ｚ）へ予じめ差し込み套嵌されているため、決して紛失するおそれがなく、更には第２固定パイプ継手（Ｊ２）に対する上記カバーピース（Ｋ）の昇降操作や、第１固定パイプ継手（Ｊ１）に対する接地盤（Ｅ）の昇降操作を、その何れもジャングルジムの垂直骨パイプ（Ｚ）に沿ってすばやく正確に行なえる利便性もある。
【００７２】
先には、上段立方体枠（Ｃ）と下段中央立方体枠（Ａ）を折りたたんだ後、これと一連の下段左側立方体枠（Ｂ１）並びに下段右側立方体枠（Ｂ２）を折りたたむ旨として説明したが、その操作順序を逆として、使用者の適当に選定することができ、全体の一挙同時に折りたたむことも可能である。尚、上記展開使用状態から折りたたみ状態への操作順序を逆に行なえば、その折りたたみ状態から展開使用状態へ変換できることは言うまでもない。
【００７３】
図１〜４３に示した基本実施形態のジャングルジムは、下段中央立方体枠（Ａ）とその両隣りに並列する下段左側・右側立方体枠（Ｂ１）（Ｂ２）並びに下段中央立方体枠（Ａ）に積層する１個の上段立方体枠（Ｃ）とから、正面視の全体的な凸型輪郭形状に枠組み立体化されているが、ジャングルジムの上下位置関係ではその立方体枠（Ａ）（Ｃ）を形作る垂直骨パイプ（Ｚ）同志が、これに差し込み一体化された第１〜４固定パイプ継手（Ｊ１）〜（Ｊ４）の垂直な差込み脚筒（６Ｚ）（１６Ｚ）（２６Ｚ）を介して、言わば一本化されることになる。
【００７４】
そのため、例えば図４４の第１変形実施形態に示すような上段立方体枠（Ｃ）へ、更に最上段立方体枠（Ｃ１）を積層した２段以上のジャングルジムや例えば図４５の第２変形実施形態に示すような下段左側・右側立方体枠（Ｂ１）（Ｂ２）の何れか一方又は双方へ、更に上段立方体枠（Ｃ２）を並列状態として積層した２段のジャングルジムであっても、上記基本実施形態と全く同じ折りたたみ操作を行なうことにより、図３９〜４３に準じた全体の扁平な折りたたみ状態を得ることができ、本考案の範疇に属する。
【００７５】
但し、図１〜４３の上記基本実施形態と異なって、図４４に例示した第１変形実施形態のジャングルジムでは、その上段立方体枠（Ｃ）とこれに積層した最上段立方体枠（Ｃ１）との４隅部における交点が、正面視の横向きＴ字型をなし、又図４５に例示した第２変形実施形態のジャングルジムでは、その下段（左側）立方体枠（Ｂ１）とこれに積層した上段立方体枠（Ｃ２）との２隅部における交点が、やはり正面視の横向きＴ字型を呈することになるため、上記基本実施形態の第２固定パイプ継手（Ｊ２）における両連結フォーク板片（１７Ｌ）（１７Ｒ）の何れか一方が言わば省略された図４６、４７のような特別の第５固定パイプ継手（Ｊ５）も作成準備して、その正面視の横向きＴ字型をなす交点へ介挿使用する。
【００７６】
つまり、このような１個の連結フォーク板片（３７）が張り出す第５固定パイプ継手（Ｊ５）も、上記第２固定パイプ継手（Ｊ２）と同様に上下の方向性を区別することなく使用できるため、その第５固定パイプ継手（Ｊ５）の水平な差込み脚筒（３６Ｘ）を横水平骨パイプ（Ｘ）へ差し込み一体化すると共に、同じく上下一対の垂直な差込み脚筒（３６Ｚ）（３６Ｚ）を図４４のような最上段立方体枠（Ｃ１）と上段立方体枠（Ｃ）の垂直骨パイプ（Ｚ）や、図４５のような上段立方体枠（Ｃ２）と下段（左側）立方体枠（Ｂ１）の垂直骨パイプ（Ｚ）へ、各々差し込み一体化する。
【００７７】
他方、第５固定パイプ継手（Ｊ５）の連結フォーク板片（３７）には上記第２固定パイプ継手（Ｊ２）のそれと同じく、垂直軸受け入れ孔（３１ａ）のほかに、これと平行なロックピン受け入れ孔（３１ｂ）も貫通形成しておき、やはり縦水平骨パイプ（Ｙ）に付属している回動パイプ継手（Ｊ）の連結板片（２）を、その第５固定パイプ継手（Ｊ５）における連結フォーク板片（３７）の間隙内へ挿入して、図４６のように垂直軸（Ｐ）を介して回動自在に枢支連結するのである。
【００７８】
しかも、上記第５固定パイプ継手（Ｊ５）とほほ対応する図４８のような正面視のＬ字型として一体成形されたカバーピース（Ｋ１）の垂直な取付鞘筒（３２）を、垂直骨パイプ（Ｚ）に沿って下降させ、そのカバーピース（Ｋ１）における１個の円弧状カバー片（３３）を上記第５固定パイプ継手（Ｊ５）の対応的な連結フォーク板片（３７）へ、図４４〜４６のように上方から覆いかぶせて、やはり回動パイプ継手（Ｊ）を拘束すると共に、同じくカバーピース（Ｋ１）における取付鞘筒（３２）とカバー片（３３）との角隅部から一体的に垂下された１本の回動阻止用ロックピン（３４）を、上記第５固定パイプ継手（Ｊ５）の連結フォーク板片（３７）と回動パイプ継手（Ｊ）の連結板片（２）へ、抜き差し自在に差し込み貫通させることにより、その回動パイプ継手（Ｊ）が上記垂直軸（Ｐ）の支点廻りに折りたたみ閉合されてしまうことを防止する。（３５）は上記第５固定パイプ継手（Ｊ５）のカバーピース（Ｋ１）に切り欠かれた横水平骨パイプ逃し入れ凹溝を示している。
【００７９】
尚、図４４〜４８の第１、２変形実施形態におけるその他の構成は、図１〜４３の上記基本実施形態と実質的に同一であるため、その図４４〜４８に図１〜４３との対応符号を記入するにとどめて、その詳細な説明を省略する。
【図面の簡単な説明】
【００８０】
【図１】本考案に係るジャングルジムの展開使用状態を例示する斜面図である。
【図２】図１の正面図である。
【図３】図１の平面図である。
【図４】図２の４−４線断面図である。
【図５】両端部に回動パイプ継手が差し込み一体化された縦水平骨パイプを示す平面図である。
【図６】回動パイプ継手を抽出して示す斜面図である。
【図７】第１固定パイプ継手を抽出して示す斜面図である。
【図８】図２の倒立Ｔ字型交点を抽出して示す部分拡大正面図である。
【図９】図８の９−９線断面図である。
【図１０】図８の１０−１０線断面図である。
【図１１】図１０から縦水平骨パイプを横水平骨パイプへ閉合させた折りたたみ状態の断面図である。
【図１２】第２固定パイプ継手を抽出して示す斜面図である。
【図１３】図２の十字型交点を抽出して示す部分拡大正面図である。
【図１４】図１３の１４−１４線断面図である。
【図１５】図１３の１５−１５線断面図である。
【図１６】図１５から縦水平骨パイプを横水平骨パイプへ閉合させた折りたたみ状態の断面図である。
【図１７】第３固定パイプ継手を抽出して示す斜面図である。
【図１８】第４固定パイプ継手を抽出して示す斜面図である。
【図１９】図２のＬ字型交点を抽出して示す部分拡大正面図である。
【図２０】図１９の２０−２０線断面図である。
【図２１】図１９の２１−２１線断面図である。
【図２２】図２１から縦水平骨パイプを横水平骨パイプへ閉合させた折りたたみ状態の断面図である。
【図２３】図２の２３−２３線に沿う拡大断面図である。
【図２４】図２３の２４−２４線断面図である。
【図２５】図２４の２５−２５線断面図である。
【図２６】カバーピースを抽出して示す斜面図である。
【図２７】図２６の平面図である。
【図２８】図２７の正面図である。
【図２９】図２７の２９−２９線断面図である。
【図３０】図２７の３０−３０線断面図である。
【図３１】図２の３１−３１線に沿う拡大断面図である。
【図３２】接地盤を抽出して示す平面図である。
【図３３】図３２の３３−３３線断面図である。
【図３４】ジャングルジムに対する接地台、滑り台、階段並びに天板の取付状態を示す図３に対応する平面図である。
【図３５】図３４の天板を抽出して示す底面図である。
【図３６】図３４の３６−３６線に沿う拡大断面図である。
【図３７】カバーピース及び接地盤を浮上させた状態を示す図１に対応する斜面図である。
【図３８】図３７の正面図である。
【図３９】図４からの折りたたみ中途過程を示す断面平面図である。
【図４０】ジャングルジムの折りたたみ状態を示す斜面図である。
【図４１】図４０の側面図である。
【図４２】図４１の平面図である。
【図４３】図４１の４３−４３線断面図である。
【図４４】図１に対応する本考案の第１変形実施形態を示す斜面図である。
【図４５】図１に対応する本考案の第２変形実施形態を示す斜面図である。
【図４６】図４４と図４５の第５固定パイプ継手を介した交点の部分拡大断面図である。
【図４７】第５固定パイプ継手を抽出して示す斜面図である。
【図４８】第５固定パイプ継手のカバーピースを抽出して示す斜面図である。
【符号の説明】
【００８１】
（１）・差込み脚筒
（２）・連結板片
（４）・回動許容面
（５ａ）・垂直軸受け入れ孔
（５ｂ）（１１ｂ）（３１ｂ）・ロックピン受け入れ孔
（６Ｘ）（６Ｚ）（１６Ｘ）（１６Ｚ）（２６Ｘ）（２６Ｚ）（３６Ｘ）（３６Ｚ）・差込み脚筒
（７Ｌ）（７Ｒ）（１７Ｌ）（１７Ｒ）（２７Ｌ）（２７Ｒ）（３７）・連結フォーク板片
（９）（１１ａ）（１３）（３１ａ）・垂直軸受け入れ孔
（１１ａ）・垂直軸受け入れ孔
（１４）（２１）（３２）・取付鞘筒
（１５Ｌ）（１５Ｒ）（２２Ｌ）（２２Ｒ）（３３）・カバー片
（１８）（２３）（３５）・横水平骨パイプ逃し入れ凹溝
（１９Ｌ）（１９Ｒ）（３４）・ロックピン
（２３）・横水平骨パイプ逃し入れ凹溝
（２４）・突っ張りステー
（２８）・滑り台
（２９）・階段
（３０）・天板
（Ａ）・下段中央立方体枠
（Ｂ１）・下段左側立方体枠
（Ｂ２）・下段右側立方体枠
（Ｃ）・上段立方体枠
（Ｃ１）・最上段立方体枠
（Ｃ２）・上段立方体枠
（Ｅ）・接地盤
（Ｊ）・回動パイプ継手
（Ｊ１）・第１固定パイプ継手
（Ｊ２）・第２固定パイプ継手
（Ｊ３）・第３固定パイプ継手
（Ｊ４）・第４固定パイプ継手
（Ｊ５）・第５固定パイプ継手
（Ｋ）（Ｋ１）・カバーピース
（Ｐ）・垂直軸
（Ｘ）・横水平骨パイプ
（Ｙ）・縦水平骨パイプ
（Ｚ）・垂直骨パイプ
【図１】
0003100900.tif 000003
【図２】
0003100900.tif 000004
【図３】
0003100900.tif 000005
【図４】
0003100900.tif 000006
【図５】
0003100900.tif 000007
【図６】
0003100900.tif 000008
【図７】
0003100900.tif 000009
【図８】
0003100900.tif 000010
【図９】
0003100900.tif 000011
【図１０】
0003100900.tif 000012
【図１１】
0003100900.tif 000013
【図１２】
0003100900.tif 000014
【図１３】
0003100900.tif 000015
【図１４】
0003100900.tif 000016
【図１５】
0003100900.tif 000017
【図１６】
0003100900.tif 000018
【図１７】
0003100900.tif 000019
【図１８】
0003100900.tif 000020
【図１９】
0003100900.tif 000021
【図２０】
0003100900.tif 000022
【図２１】
0003100900.tif 000023
【図２２】
0003100900.tif 000024
【図２３】
0003100900.tif 000025
【図２４】
0003100900.tif 000026
【図２５】
0003100900.tif 000027
【図２６】
0003100900.tif 000028
【図２７】
0003100900.tif 000029
【図２８】
0003100900.tif 000030
【図２９】
0003100900.tif 000031
【図３０】
0003100900.tif 000032
【図３１】
0003100900.tif 000033
【図３２】
0003100900.tif 000034
【図３３】
0003100900.tif 000035
【図３４】
0003100900.tif 000036
【図３５】
0003100900.tif 000037
【図３６】
0003100900.tif 000038
【図３７】
0003100900.tif 000039
【図３８】
0003100900.tif 000040
【図３９】
0003100900.tif 000041
【図４０】
0003100900.tif 000042
【図４１】
0003100900.tif 000043
【図４２】
0003100900.tif 000044
【図４３】
0003100900.tif 000045
【図４４】
0003100900.tif 000046
【図４５】
0003100900.tif 000047
【図４６】
0003100900.tif 000048
【図４７】
0003100900.tif 000049
【図４８】
0003100900.tif 000050